(57)【要約】【課題】液晶パネルを液晶取付板に取り付ける取付構造を改良することにより、液晶パネルの表面に付着する塵埃を抑制し、これにより液晶パネルの寿命を長期化した液晶プロジェクタを提供すること。【解決手段】本発明は、ＲＧＢ光をそれぞれ光変調する複数の液晶パネル３２と、変調されたＲＧＢ光を合成するクロスダイクロイックプリズムの外周面にフレーム構造体が固定されたプリズムブロックとを有する。また、プリズムブロックの入射側には各液晶パネル３２を取り付けるための液晶取付板６０が設けられている。そして、少なくとも一部の液晶取付板６０には液晶パネル３２全面を埋設するように挿入することが可能な開口部６３が設けられている。そして、この液晶取付板６０においては、液晶パネル３２を液晶取付板６０の表面から階段状に窪まない状態となるように開口部６３に挿入して固定している。【選択図】図８
2013134479.tif 000002
【特許請求の範囲】
【請求項１】
赤色光、緑色光及び青色光をそれぞれ光変調する複数の液晶パネルと、変調された赤色光、緑色光及び青色光を合成してカラー映像を形成するクロスダイクロイックプリズムの外周面にフレーム構造体が固定されたプリズムブロックと、このプリズムブロックの入射側に各液晶パネルを取り付けるための液晶取付板とを有し、
複数の液晶パネルのうちの少なくとも一部の液晶パネルを取り付ける液晶取付板には、液晶パネルの全面を埋設するように挿入することが可能に開口部が設けられ、
さらに、この一部の液晶パネルは、液晶取付板に対し挿入方向入口側の面からは突出させるとともに、反対側の面に対しては少なくとも階段状に窪まない状態となるように埋設されて固定されている
ことを特徴とする液晶プロジェクタ。
【請求項２】
請求項１記載の液晶プロジェクタにおいて、
前記全ての液晶取付板には、液晶パネル全面を埋設するように挿入することが可能な開口部が設けられ、
前記液晶パネルは、液晶取付板に対し、挿入方向入口側の面から突出するとともに、反対側の面に対しては少なくとも階段状に窪まない状態に挿入されて固定されている
ことを特徴とする請求項１記載の液晶プロジェクタ。
【請求項３】
請求項１又は２記載の液晶プロジェクタにおいて、
前記液晶パネルは、入射側においては、液晶パネルの表面が液晶取付板から突出し、出射側においては、液晶パネルの表面と液晶取付板の表面とが略面一に形成されている
ことを特徴とする液晶プロジェクタ。
【請求項４】
請求項１〜３の何れか１項に記載の液晶プロジェクタにおいて、
前記開口部には、液晶パネルの表面を部分的に支持する取付片が液晶取付板の表面から段差を付けて形成され、この段差により液晶パネルの挿入方向の位置決めをするように形成されている
ことを特徴とする液晶プロジェクタ。
【請求項５】
請求項４記載の液晶プロジェクタにおいて、
液晶パネルを冷却する冷却風は、下方から吹き付けられるように形成されるとともに、
前記取付片は、開口部の下辺中央部及び上方の左右両角部において開口部に向けて突出するように形成されている
ことを特徴とする液晶プロジェクタ。
【請求項６】
請求項４又は５記載の液晶プロジェクタにおいて、
前記液晶パネルは、前記取付片に対しネジ止めされている
ことを特徴とする液晶プロジェクタ。
【請求項７】
請求項１〜５の何れか１項に記載の液晶プロジェクタにおいて、
前記プリズムブロックに液晶取付板をネジ止めにより固定する固定部が形成され、
前記液晶取付板は、この固定部にネジ止めされ、
前記液晶パネルは、前記液晶取付板に紫外線硬化型の接着剤にて接着されて、取り付けられている
ことを特徴とする液晶プロジェクタ。
【発明の詳細な説明】
【技術分野】
【０００１】
本発明は、液晶プロジェクタに係わり、詳しくは液晶プロジェクタに使用される光変調装置である液晶パネルの取付構造に関する。
【背景技術】
【０００２】
従来、液晶プロジェクタの一例である３板式液晶プロジェクタは、赤色光、緑色光及び青色光をそれぞれ光変調する複数の液晶パネルが用いられている。また、この液晶パネルは、変調された赤色光、緑色光及び青色光を合成してカラー映像を形成するクロスダイクロイックプリズムの外周面を覆うように固着されるフレームに取り付けられている。
【０００３】
現行以前のものにおいては、クロスダイクロイックプリズムに直接液晶パネルを接着固定する方式も採用されていたが、一旦接着された液晶パネルの交換が必要となった場合には、クロスダイクロイックプリズムとこれに取り付けられている全ての液晶パネルを一体のものとして交換しなければならず、経済的ではないという問題があった。
【０００４】
そこで、近年においては、クロスダイクロイックプリズムの外周面に固定されたフレーム構造体に液晶取付板を取り付け、さらにこの液晶取付板に液晶パネルを取り付けるものが提案されている。その一例として特許文献１に記載のものがある。このものについて図９〜図１１に基づきさらに説明する。
【０００５】
図９に示すように、プリズムユニット１１０は、クロスダイクロイックプリズム１１１（以下プリズム１１１という）の外周面にフレーム構造体１１２を取り付けたものである。フレーム構造体１１２は、プリズム１１１の上面に接着される上部フレーム１１３、プリズム１１１の下面に接着される下部フレーム１１４、プリズム１１１を下方から支持する台座１１５などから形成されている。この場合において、プリズム１１１の上面と下面とは所定の精度で仕上げられ、上部フレーム１１３と下部フレーム１１４とは治具を用いて位置決めされて接着され、取付誤差が少なくなるように配慮されている。また、台座１１５におけるプリズム１１１を下方から支持するプリズム固定部１１５ａは、下部フレーム１１４とは接触しない所定の位置でプリズム１１１の底面に接着されており、下部フレーム１１４と独立してプリズム１１１に接着固定されている。これにより、台座１１５とシャーシ等とのネジ締め歪が上部フレーム１１３や下部フレーム１１４に影響しないように構成されている。
【０００６】
図９及び図１０に示すように、上部フレーム１１３は、板材からなり、プリズム１１１の外側の入射面側に、上方に折り返した側面が形成されている。下部フレーム１１４は、板材からなり、プリズム１１１の外側の入射面側に、下方に折り返した側面が形成されている。液晶パネル１１６を取り付ける液晶取付板１１７は、この上下の側面に対し取り付けられることにより、プリズム１１１及び上部フレーム１１３及び下部フレーム１１４の側面からも所定距離を開けて取り付けられている。液晶取付板１１７は、略中央部に光を通過させるための開口部１１７ａが形成されている。
【０００７】
液晶取付板１１７と上部フレーム１１３及び下部フレーム１１４との固定は、上部フレーム１１３及び下部フレーム１１４に設けられた突起１１８に対し、液晶取付板１１７に設けられた挿通孔１１７ｂを挿通し、治具を用いて位置決めし、この状態のところに紫外線硬化型の接着剤が充填されるようにして固定されている。このように固定することにより、それぞれの取付誤差が小さくなるように設定されている。
【０００８】
また、上部フレーム１１３と下部フレーム１１４におけるプリズム１１１と液晶取付板１１７との間に開口部１１９がそれぞれ設けられている。上部の開口部１１９から、偏光取付板１２０に取り付けられた出射側偏光板１２１が着脱自在に取り付けられている。なお、出射側偏光板１２１が上方に抜けないようにするための押え板１２２が上部フレーム１１３に取り付けられている。この取付は、押え板１２２の突起状の係合辺１２２ａが上部フレーム１１３の係合孔に弾性的にはめ込まれて固定されているので、これを取り外すことにより、出射側偏光板１２１も着脱自在となっている。なお、図９〜図１１における白抜き矢印は、光の方向を示す。
【０００９】
従来技術のものはこのように構成されていることにより、出射側偏光板１２１及び液晶パネル１１６の前後の面に対し下方から冷却風Ｆを吹きつけるように構成されている。
【先行技術文献】
【特許文献】
【００１０】
【特許文献１】特開２００２−３１８３４０号公報
【発明の概要】
【発明が解決しようとする課題】
【００１１】
しかし、このような従来の液晶プロジェクタにおいては、液晶パネル１１６に塵埃が付着しやすく映像が劣化しやすいため、液晶パネル１１６の寿命が短いという問題があった。
【００１２】
すなわち、従来のものは、図１１に示すように、下方から冷却風Ｆが吹き付けられたときに、液晶取付板１１７の入射側の面に液晶パネル１１６が押し付けられるようにネジ止めされているため、液晶パネル１１６の出射側の面が液晶取付板１１７の出射側の面から、液晶取付板１１７の板圧分だけ階段状に窪んだ状態となっている。このため下方から吹き付けられる冷却風Ｆが、液晶取付板１１７の出射側の面と液晶パネル１１６の出射側の面との階段状の段差により液晶パネル１１６の下方部および上方部に渦ｖ１，ｖ２が生ずる。これにより冷却風Ｆに含まれている塵埃が液晶パネル１１６の出射側表面部に付着し易くなる。そして、塵埃の付着により映像が劣化し、寿命が短くなるという問題があった。
【００１３】
本発明は、従来技術におけるこのような問題点を解決するものであって、液晶パネルを液晶取付板に取り付ける取付構造を改良することにより、液晶パネルの表面に付着する塵埃を抑制し、これにより液晶パネルの寿命を長期化した液晶プロジェクタを提供することを目的とする。
【課題を解決するための手段】
【００１４】
請求項１に記載された発明に係る液晶プロジェクタは、赤色光、緑色光及び青色光をそれぞれ光変調する複数の液晶パネルと、変調された赤色光、緑色光及び青色光を合成してカラー映像を形成するクロスダイクロイックプリズムの外周面にフレーム構造体が固定されたプリズムブロックと、このプリズムブロックの入射側に取り付けられた各液晶パネルを取り付けるための液晶取付板とを有し、複数の液晶パネルのうちの少なくとも一部の液晶パネルを取り付ける液晶取付板には、液晶パネル全面を埋設するように挿入することが可能に開口部が設けられ、さらに、この一部の液晶パネルは、液晶取付板に対し挿入方向入口側の面からは突出させるとともに、反対側の面に対しては少なくとも階段状に窪まない状態となるように埋設されて固定されていることを要旨とする。
【００１５】
このような構成によれば、少なくとも一部の液晶パネルは、入射側及び出射側の何れにおいてもその表面が液晶取付板の表面から階段状に窪んだ状態となっていないので、液晶パネルの表面部に冷却風の渦が発生しなくなる。したがって、冷却風の渦発生に付随して生起される液晶パネル表面への塵埃の付着が抑制され、液晶パネルの寿命を延ばすことができる。
【００１６】
請求項２記載の発明は、請求項１記載の液晶プロジェクタにおいて前記全ての液晶取付板には、液晶パネル全面を埋設するように挿入することが可能な開口部が設けられ、前記液晶パネルは、液晶取付板に対し、挿入方向入口側の面から突出するとともに、反対側の面に対しては少なくとも階段状に窪まない状態に挿入されて固定されていることを要旨とする。
【００１７】
このような構成によれば、全ての液晶パネルにおいて入射側及び出射側の何れの表面も液晶取付板の表面から階段状に窪んだ状態となっていないので、全ての液晶パネルについて表面部に冷却風Ｆの渦が発生しなくなる。したがって、冷却風の渦発生に伴う全ての液晶パネル表面への塵埃の付着が抑制され、全ての液晶パネルの寿命を延ばすことができる。
【００１８】
請求項３記載の発明は、請求項２記載の液晶プロジェクタにおいて、前記液晶パネルは、入射側においては、液晶パネルの表面が液晶取付板から突出し、出射側においては、液晶パネルの表面と液晶取付板の表面とが略面一に形成されていることを要旨とする。
【００１９】
このような構成によれば、前記液晶パネルは、出射側においては、液晶パネルの表面と液晶取付板の表面とが略面一に形成されているので、冷却風の抵抗が少なくなり、冷却効果を向上させることができる。
【００２０】
請求項４記載の発明は、請求項１〜３の何れか１項に記載の液晶プロジェクタにおいて、前記開口部には、液晶パネルの表面を部分的に支持する取付片が液晶取付板の表面から段差を付けて形成され、この段差により液晶パネルの挿入方向の位置決めをするように形成されていることを要旨とする。
【００２１】
このような構成によれば、取付片と液晶取付板の表面との段差により液晶パネルの挿入方向の位置決めがされるので、液晶パネルを開口部に挿入して埋設する構造でありながらその挿入位置を容易に安定させることができる。
【００２２】
請求項５記載の発明は、請求項４記載の液晶プロジェクタにおいて、液晶パネルを冷却する冷却風は、下方から吹き付けられるように形成されるとともに、前記取付片は、開口部の下辺中央部及び上方の左右両角部において開口部に向けて突出するように形成されていることを要旨とする。
【００２３】
このような構成によれば、冷却風が吹きつけられる液晶取付板の開口部の下辺には取付片が１個のみ形成された構造となるので、取付片による冷却風の抵抗を軽減することができる。また、これにより取付片による渦の発生が軽減されるので、渦の発生による液晶パネルの表面への塵埃の付着を軽減し、液晶パネルの寿命を長くすることができる。
【００２４】
請求項６記載の発明は、請求項４又は５記載の液晶プロジェクタにおいて、前記液晶パネル、前記取付片に対しネジ止めされていることを要旨とする。
このような構成によれば、液晶パネルが液晶取付板に対しネジ止めされているので、塵埃の付着等により液晶パネルの寿命が尽きたときには、プリズムブロック及び他の液晶パネルとは別個に寿命の尽きた液晶パネルのみを容易に交換することができる。
【００２５】
請求項７記載の発明は、請求項１〜５の何れか１項記載の液晶プロジェクタにおいて、前記プリズムブロックに液晶取付板をネジ止めにより固定する固定部が形成され、前記液晶取付板は、この固定部にネジ止めされ、前記液晶パネルは、前記液晶取付板に紫外線硬化型の接着剤にて接着されて取り付けられていることを要旨とする。
【００２６】
このような構成によれば、液晶取付板に対し液晶パネルが紫外線硬化型の接着剤により固着されるので、乾燥のための時間が短くて済むので、効率よく製作することができる。また、プリズムブロックに形成された固定部に液晶取付板がネジ止めされているので、塵埃の付着等により液晶パネルの寿命が尽きたときには、プリズムブロック及び他の液晶パネルとは別個に寿命の尽きた液晶パネルと液晶取付板とのセットを容易に交換することができる。
【発明の効果】
【００２７】
本発明に係る液晶プロジェクタによれば、少なくとも一部の液晶パネルにおいては、その表面が液晶取付板から階段状に窪んだ状態となっていないので、液晶取付板と液晶パネルとの表面段差部に発生する冷却風の渦が軽減される。したがって、冷却風の渦による液晶パネル表面への塵埃の付着が軽減され、液晶パネルの寿命を延ばすことができる。
【図面の簡単な説明】
【００２８】
【図１】本発明の実施の形態１に係る液晶プロジェクタの光学系の系統図である。
【図２】同液晶プロジェクタにおける液晶パネル取付要領図である。
【図３】同液晶プロジェクタにおいて液晶パネルを液晶取付板に取り付けた状態の、出射側を正面としたときの正面図である。
【図４】図３におけるＡ−Ａ断面図である。
【図５】図３に使用されている液晶取付板の正面図である。
【図６】（ａ）は図４におけるＢ−Ｂ断面図であり、（ｂ）は図４におけるＣ−Ｃ断面図であり、（ｃ）は図４におけるＤ−Ｄ断面図である。
【図７】（ａ）は図３に使用されている液晶パネルの正面図であり、（ｂ）は同液晶パネルの側面図である。
【図８】同液晶パネルを液晶取付板に取り付けた状態における冷却風の流れ状態の説明図である。
【図９】従来例に係る液晶プロジェクタにおける液晶パネルの取付状態を示すプリズムブロック周りの分解斜視図である。
【図１０】同液晶プロジェクタにおける液晶パネルの取付状態を示すプリズムブロック周りの断面図である。
【図１１】同液晶パネルを液晶取付板に取り付けた状態における冷却風の流れ状態の説明図である。
【発明を実施するための形態】
【００２９】
以下、本発明の実施の形態に係る液晶プロジェクタについて図面を参照しながら説明する。
本発明の実施の形態に係る液晶プロジェクタは、図１に光学系の系統図が示されるように、光変調装置として赤（Ｒ）、緑（Ｇ）及び青（Ｂ）の各色光用の液晶表示パネルを用いた３板式液晶プロジェクタであり、以下に説明する光学系が外装ケース１内に収納されている。
【００３０】
この光学系は、平行な白色光を出射する照明光学系１０と、この照明光学系１０から射出される光束を複数の色光束に分離する色分離光学系２０と、各色光束を映像情報に従って光変調する光変調装置３０と、変調された各色光束を合成する色合成装置としてのプリズムブロック４０と、合成された映像光を投射する投写レンズ５０とを有する。
【００３１】
照明光学系１０は、略平行な光束を出射する２個の光源ランプ１１と、２個のＵＶフィルタ１２と、２個の全反射ミラー１３と、１個のハーフミラー１４と、インテグレータレンズ１５と、入射光を所定の直線偏光光成分に変換する偏光変換素子１６と、コンデンサーレンズ１７とを備えている。
【００３２】
色分離光学系２０は、ダイクロイックミラー２１，２２、全反射ミラー２３ａ，２３ｂ，２３ｃ、リレーレンズ２４ａ，２４ｂ、コンデンサーレンズ２５，２６，２７などから構成されている。
【００３３】
光変調装置３０は、赤色光成分を変調する赤色光用の液晶ライトバルブ３０Ｒ、緑色光成分を変調する緑色光用の液晶ライトバルブ３０Ｇ、及び青色光成分を変調する青色光用の液晶ライトバルブ３０Ｂを備えている。各液晶ライトバルブ３０Ｒ,３０Ｇ,３０Ｂは、入射側偏光板３１、液晶パネル３２、出射側偏光板３３などから構成されている。
【００３４】
上記光学系においては、超高圧水銀ランプ等の２個の光源ランプ１１から出射された光は、ＵＶフィルタ１２で紫外線成分が除去された後、２個の全反射ミラー１３と１個のハーフミラー１４とにより合成されてインテグレータレンズ１５に入射される。インテグレータレンズ１５に入射された光は、光の照度分布が均一化されるとともに、偏光変換素子１６により偏光方向が一方向に揃えられ、コンデンサーレンズ１７により適宜収束される。そして、光源ランプ１１から出射された白色光のうちの、赤色光はダイクロイックミラー２１を透過し、緑色光及び青色光はダイクロイックミラー２１で反射される。次いで、緑色光はダイクロイックミラー２２で反射され、反射された青色光はダイクロイックミラー２２を透過する。このようにして光源ランプ１１から出射された白色光から赤色光、緑色光、及び青色光が分離される。
【００３５】
ダイクロイックミラー２１を透過した赤色光は、全反射ミラー２３ａで反射され、コンデンサーレンズ２５を介して赤色光用の液晶ライトバルブ３０Ｒに導かれる。また、ダイクロイックミラー２１及び２２で反射された緑色光は、コンデンサーレンズ２６を介して緑色光用の液晶ライトバルブ３０Ｇに導かれる。また、ダイクロイックミラー２２を通過した青色光は、リレーレンズ２４ａ，２４ｂを介して全反射ミラー２３ｂ，２３ｃで反射されるとともに、コンデンサーレンズ２７を介して青色光用の液晶ライトバルブ３０Ｂに導かれる。このようにして、赤色光、緑色光及び青色光は、液晶ライトバルブ３０Ｒ，３０Ｇ，３０Ｂにおいて光変調されて出射される。そして、出射された変調光は、プリズムブロック４０のクロスダイクロイックプリズム４１により合成されて映像光として投写レンズ５０により拡大投写される。
【００３６】
以上のような光学系を備えた液晶プロジェクタにおいて、プリズムブロック４０は、例えば従来のものと同様、板材からなる上部フレーム、下部フレーム、台座などから構成されるフレーム構造体をクロスダイクロイックプリズム４１の外周面に取り付けたものであって、このプリズムブロック４０に対し液晶パネル３２が取り付けられている。
【００３７】
液晶パネルの取付要領は、図２に示されるようなものである。なお、この図２は図面を簡略化して分かり易くするために、プリズムブロック４０に対し３面に取り付けられる液晶パネル３２のうちの一面に取り付けられる液晶パネル３２のみを表示している。また、この図においては、液晶パネル３２の入射側に設けられる入射側偏光板、及び液晶パネル３２の出射側に設けられる出射側偏光板の図示を省略している。
【００３８】
この図に示されるように、仮想線で表わされているプリズムブロック４０には、液晶取付板６０を固定する固定部４２が側面に突出するように形成され、この固定部４２に液晶取付板６０が取付ネジ６１により取り付けられ、さらに、この液晶取付板６０に対し液晶パネル３２がネジ止めされている。
【００３９】
次に、本発明の特徴を成す液晶取付板６０に対する液晶パネル３２の取付構造を詳しく説明する。
液晶取付板６０に液晶パネル３２を取り付けた状態の出射側を正面としたときの正面図が図３に示され、その断面図が図４に示される。これら図２〜図４に示されるように、液晶取付板６０の基板部６２の中央部には液晶パネル３２の平面形状より若干大きい開口部６３が形成され、この開口部６３に対し入射側から液晶パネル３２の全面を埋設するように挿入し、取付ネジ６４で液晶取付板６０に液晶パネル３２を固定している。
【００４０】
液晶取付板６０は、図５の平面図及び図６（ａ）、（ｂ）、（ｃ）の断面図に示すように、基板部６２が縦長長方形状の板金製で、中央部には液晶パネル３２の全面を埋設するように挿入するための縦長長方形の開口部６３が開口されている。そして、この開口部６３の上方の左右両角部と下辺の中央部の３箇所に基板部６２から開口部６３内に突出するように液晶パネル３２を支持する取付片６５が設けられている。
【００４１】
取付片６５は、図６の断面図からよく理解できるように、板金加工により基板部６２と一体的に形成されたものであって、基板部６２の出射側に突出するように基板部６２の表面から段差が付けられている。そして、この段差により、取付片６５の入射側の面と、基板部６２の出射側の面とが略面一になるように形成されている。これにより、図４の断面図に示すように、液晶パネル３２を液晶取付板６０に液晶パネル３２を取り付けた状態において、液晶パネル３２の出射側の表面と基板部６２の出射側の表面とが略面一になるように形成されている。
【００４２】
また、液晶取付板６０は、図２、図５等に示すように、プリズムブロック４０に対し液晶取付板６０をネジ止めして固定するためのネジ挿通孔６６が、四隅にそれぞれ形成されている。そして、この液晶取付板６０は、図２に示すように、取付ネジ６１によりプリズムブロック４０の側面から突出するように形成された固定部４２にネジ止めされている。
【００４３】
液晶パネル３２は、図７に示すように、スイッチング素子を有する素子基板と素子基板に対向して配設された対向基板との間に液晶が封入された表示部３２ａと、表示部３２ａの周縁部を樹脂などから形成されたフレーム３２ｂにより保護されたものである。そして、この液晶パネル３２からは、素子基板に一端が接続されたフレキシブルプリント基板３２ｃが導出されている。また、液晶パネル３２は、図７に示すように、縦長長方形のフレーム３２ｂの上辺近傍の左右隅部及び下辺近傍の中央部の３箇所に取付ネジ６４を挿通するためのネジ挿通孔３２ｄが形成されている。液晶パネル３２は、取付ネジ６４によりネジ挿通孔３２ｄを介して液晶取付板６０の取付片６５にネジ止めされている。
【００４４】
また、図８に示すように、液晶パネル３２の下方には、冷却ファン７１から冷却風Ｆを搬送するための冷却ダクト７２、冷却ダクト７２により搬送された冷却風Ｆを吹きつけるためのノズル７３が配置されている。なお、図８においては、液晶パネル３２に対する冷却風の流れ状態を説明することを主眼としているため、入射側偏光板３１及び出射側偏光板３３を冷却する部分の図示を省略している。また、これら入射側偏光板３１及び出射側偏光板３３は、この冷却ダクト７２を通じ搬送される冷却風Ｆを利用して液晶パネル３２と同様に冷却されている。
【００４５】
次に、上記のように構成された液晶プロジェクタの作用について説明する。
本実施の形態における液晶プロジェクタは、スタンバイ状態においてユーザにより電源スイッチがオンされることにより、投写運転が開始される。また、この投写運転においては、光源ランプ１１、電源部、液晶パネル３２、入射側偏光板３１、出射側偏光板３３等を有する液晶ライトバルブ３０Ｒ，３０Ｇ，３０Ｂなどの温度が上昇するので、これを抑制するために冷却ファン７１を含む複数の冷却ファンが駆動され、冷却風がこれら機器に供給される。
【００４６】
液晶ライトバルブ３０Ｒ，３０Ｇ，３０Ｂを構成する液晶パネル３２の冷却は、図８に示すように冷却ファン７１から冷却ダクト７２により搬送された冷却風Ｆを、ノズル７３により液晶パネル３２の入射側表面及び出射側表面に吹き付けることにより行われる。この場合入射側においては、液晶パネル３２の入射側の表面が液晶取付板６０の表面から突出しているので、液晶パネル３２の下方部及び上方部の入射側外側において渦Ｖａ，Ｖｂが形成されるが、液晶パネル３２の表面部では渦の発生が見られない。なお、液晶パネル３２の下方部及び上方部の外側においては渦Ｖａ，Ｖｂにより塵埃が堆積されやすくなるが、液晶パネル３２の外側であるため液晶パネル３２の寿命には影響されない。
【００４７】
また、出射側においては、液晶パネル３２の出射側の表面が液晶取付板６０の出射側の表面と略面一に形成されているので、液晶パネル３２の表面において渦が発生しない。したがって、従来のような渦による塵埃の堆積が回避され、これにより液晶パネル３２の寿命が長期化される。
【００４８】
以上のように構成された実施の形態に係る液晶プロジェクタの効果について記載する。
（１）液晶パネル３２は、入射側及び出射側の何れにおいてもその表面が液晶取付板６０の表面から階段状に窪んだ状態となっていないので、液晶パネル３２の表面部に冷却風Ｆの渦が発生しなくなる。したがって、冷却風Ｆの渦発生に伴う液晶パネル３２の表面への塵埃の付着が抑制され、液晶パネル３２の寿命を延ばすことができる。
【００４９】
（２）また、この実施の形態においては、具体的には、全ての液晶パネル３２において入射側及び出射側の何れの表面も液晶取付板６０の表面から階段状に窪んだ状態となっていないので、全ての液晶パネル３２について表面部に冷却風Ｆの渦が発生しなくなる。したがって、冷却風Ｆの渦発生に伴う全ての液晶パネル３２の表面への塵埃の付着が抑制され、全ての液晶パネル３２の寿命を延ばすことができる。
【００５０】
（３）液晶パネル３２は、出射側においては、液晶パネル３２の出射側表面と液晶取付板６０の出射側表面とが略面一に形成されているので、冷却風Ｆの抵抗が少なくなり、冷却効果を向上させることができる。
【００５１】
（４）液晶取付板６０の開口部６３には、液晶パネル３２の表面を部分的に支持する取付片６５が液晶取付板６０の表面から段差を付けて基板部６２から突出するように形成されている。そして、この段差により液晶パネル３２の挿入方向の位置決めをするように形成されているので、液晶パネル３２を開口部６３に挿入して埋設する構造でありながらその挿入位置を容易に安定させることができる。
【００５２】
（５）冷却風Ｆが吹きつける液晶取付板６０の開口部の下辺には取付片６５が１個のみ形成された構造となるので、取付片６５による冷却風の抵抗を軽減することができる。また、これにより取付片６５による渦の発生が軽減されるので、渦の発生による液晶パネル３２の表面への塵埃の付着を軽減し、液晶パネル３２の寿命を長くすることができる。
【００５３】
（６）液晶パネル３２が液晶取付板６０に対しネジ止めされているので、塵埃の付着等により液晶パネル３２の寿命が尽きたときには、プリズムブロック４０及び他の液晶パネル３２とは別個に寿命の尽きた液晶パネル３２のみを容易に交換することができる。
【００５４】
（変形例）
本発明の実施態様は、前記実施の形態に記載された態様に限られるものではなく、以下に示すように変形して実施することもできる。
【００５５】
・前記実施の形態においては、全ての液晶パネル３２について入射側及び出射側の何れの表面も液晶取付板６０の表面から階段状に窪んだ状態となっていない構成としているが、本発明は、少なくとも一部の液晶パネル３２が入射側及び出射側の何れの表面も液晶取付板６０の表面から階段状に窪んだ状態となっていないものを包含する。
【００５６】
・前記実施の形態においては、液晶パネル３２を取り付ける取付片６５は、液晶取付板６０における開口部６３の上方の左右両角部の近傍と下辺の中央部の近傍の３箇所に基板部６２から開口部６３内に突出するように形成されているが、これに拘るものではない。例えば、開口部６３の下辺中央部に設けている取付片６５に代えて、下辺の左右両角部に設けるようにしてもよい。また、取付片６５を、上下左右の各辺の中央部の近傍に各１個設けた４個としてよい。
【００５７】
・前記実施の形態においては、液晶取付板６０を取付ネジ６１によりプリズムブロック４０にネジ止めするようにしているが、従来のものと同様に接着剤により固着するようにしてもよい。このようにするには、プリズムブロック４０に突起を設ける一方、この突起を挿入する挿通孔を液晶取付板６０に設け、この挿通孔に突起を挿入し、治具を用いて位置決めしながら紫外線硬化型の接着剤により固定するようにすればよい。
【００５８】
・前記実施の形態においては、液晶取付板６０をプリズムブロック４０に対しネジ止めしているで、液晶パネル３２を取付ネジ６４により液晶取付板６０に取り付けることに代えて、紫外線硬化型の接着剤により液晶パネル３２を液晶取付板６０に固着するようにしてもよい。
【００５９】
このように構成した場合は、液晶取付板６０に対する液晶パネル３２の取付は、短い時間で固着されるので、効率よく製作することができる。また、取付ネジ６１を使用していないので使用中に取付ネジ６１が緩むといったことがなく、品質を安定して維持することができる。また、塵埃の付着等により液晶パネル３２の寿命が尽きたときには、プリズムブロック４０及び他の液晶パネル３２とは別個に寿命の尽きた液晶パネル３２と液晶取付板６０とのセットを交換すればよい。
【００６０】
・前記実施の形態においては、液晶取付板６０の開口部６３に対し液晶パネル３２を入射側から挿入するように構成しているが、液晶取付板６０の開口部６３に対し液晶パネル３２を出射側から挿入して取り付けできるように取付片６５の取付位置等を変更してもよい。
【００６１】
・液晶プロジェクタの形式は、前記実施の形態のものに拘泥されるものではない。たとえば、反射型の液晶パネルを利用した液晶プロジェクタとすることもできる。
【産業上の利用可能性】
【００６２】
本発明に係る液晶プロジェクタは、ホームシアター、会議室、研修室、教室、娯楽場、各種展示室、スタジオなど多方面の施設における映像表示システムとして利用することができる。
【符号の説明】
【００６３】
Ｆ…冷却風、３２…液晶パネル、４０…プリズムブロック、４１…クロスダイクロイックプリズム、４２…固定部、６０…液晶取付板、６３…開口部、６５…取付片。
【図１】
2013134479.tif 000003
【図２】
2013134479.tif 000004
【図３】
2013134479.tif 000005
【図４】
2013134479.tif 000006
【図５】
2013134479.tif 000007
【図６】
2013134479.tif 000008
【図７】
2013134479.tif 000009
【図８】
2013134479.tif 000010
【図９】
2013134479.tif 000011
【図１０】
2013134479.tif 000012
【図１１】
2013134479.tif 000013